(57)【特許請求の範囲】
【請求項１】
アクセスポイント間の自動切り替え方法であって、無線ルーティング装置が端末へのネットワーク接続を確立すると、前記方法は、
前記無線ルーティング装置により、アクセス可能なアクセスポイント装置が前記無線ルーティング装置の無線接続範囲内に存在するか否かを決定するステップと、
前記アクセスポイント装置が存在する場合、
前記無線ルーティング装置により、動的ホスト構成プロトコルＤＨＣＰ発見メッセージを前記アクセスポイント装置へ送信するステップであって、前記ＤＨＣＰ発見メッセージは、第１ＤＨＣＰオプションフィールドを運ぶ、ステップと、
前記無線ルーティング装置により、前記アクセスポイント装置により返されたＤＨＣＰ提案メッセージを受信するステップであって、前記ＤＨＣＰ提案メッセージは、第２ＤＨＣＰオプションフィールドを運ぶ、ステップと、
前記無線ルーティング装置により、前記第１ＤＨＣＰオプションフィールドを前記第２ＤＨＣＰオプションフィールドと比較するステップであって、前記第１ＤＨＣＰオプションフィールドが前記第２ＤＨＣＰオプションフィールドと一致する場合、前記無線ルーティング装置により、前記アクセスポイント装置へのネットワーク接続を確立するために、前記アクセスポイント装置へ無線接続要求メッセージを送信するステップと、
前記アクセスポイント装置を使用することにより前記端末がインターネットにアクセスできるよう、前記アクセスポイント装置に接続するよう前記端末をトリガするために、前記無線ルーティング装置により、前記端末への前記ネットワーク接続を中断するステップと、
を含む方法。
【請求項２】
前記無線ルーティング装置は、アクセスポイントＡＰ機能及び局ＳＴＡ機能モードを有し、
前記無線ルーティング装置により、アクセス可能なアクセスポイント装置が前記無線ルーティング装置の無線接続範囲内に存在するか否かを決定する前記ステップは、
前記無線ルーティング装置により、前記アクセスポイントＡＰ機能及び局ＳＴＡ機能モードで動作し、前記局ＳＴＡ機能を使用することによりアクセスポイント装置を周期的にスキャンし、前記スキャンにより見付かったアクセスポイント装置のサービスセット識別子を取得し、前記アクセスポイント装置の前記サービスセット識別子を前記アクセスポイント装置に格納されたアクセスポイント装置サービスセット識別子セットと比較して、前記アクセスポイント装置が前記アクセス可能なアクセスポイント装置か否かを決定するステップと、
前記アクセスポイント装置の前記サービスセット識別子が、前記アクセスポイント装置に格納された前記サービスセット識別子セットの中にある場合、前記アクセスポイント装置は前記アクセス可能なアクセスポイント装置であると決定するステップと、
を含み、
前記アクセスポイント装置に格納された前記サービスセット識別子セットは、少なくとも１つのアクセスポイント装置のサービスセット識別子を含む、
請求項１に記載の方法。
【請求項３】
前記無線ルーティング装置により、前記端末への前記ネットワーク接続を中断する前記ステップは、
前記無線ルーティング装置により、前記端末との無線通信を停止するステップ、又は
前記無線ルーティング装置により、前記端末へ関連付け解除メッセージを送信し、前記無線ルーティング装置のサービスセット識別子を隠すステップ、
を含む、請求項１又は２に記載の方法。
【請求項４】
前記無線ルーティング装置により、前記端末への前記ネットワーク接続を中断する前記ステップの後に、前記方法は、
前記無線ルーティング装置により、無線広域ネットワークから切断するステップ、
を更に含む請求項１乃至３のいずれか一項に記載の方法。
【請求項５】
前記無線ルーティング装置により、前記端末への前記ネットワーク接続を中断する前記ステップの後に、前記方法は、
前記無線ルーティング装置により、前記アクセスポイントＡＰ機能及び局ＳＴＡ機能モードから局ＳＴＡ機能モードに切り替えるステップと、
前記無線ルーティング装置により、前記局ＳＴＡ機能モードで連続的に前記アクセスポイント装置を監視するステップと、
を更に含む請求項２に記載の方法。
【請求項６】
前記無線ルーティング装置により、前記局ＳＴＡ機能モードで連続的に前記アクセスポイント装置を監視する前記ステップは、
前記無線ルーティング装置が、前記無線ルーティング装置は前記アクセスポイント装置から切断されたことを検出した場合、前記無線ルーティング装置により、前記端末へのネットワーク接続を再確立するために、前記アクセスポイントＡＰ機能及び局ＳＴＡ機能モードに切り戻すステップ、
を含む、請求項５に記載の方法。
【請求項７】
無線ルーティング装置であって、前記無線ルーティング装置は端末へのネットワーク接続を確立すると、前記無線ルーティング装置は、
アクセス可能なアクセスポイント装置が前記無線ルーティング装置の無線接続範囲内に存在するか否かを決定するよう構成される処理モジュールと、
前記アクセスポイント装置が存在する場合、前記アクセスポイント装置へのネットワーク接続を確立するために、前記アクセスポイント装置へ無線接続要求メッセージを送信するよう構成される送信モジュールと、
を含み、
前記送信モジュールは、動的ホスト構成プロトコルＤＨＣＰ発見メッセージを前記アクセスポイント装置へ送信するよう更に構成され、前記ＤＨＣＰ発見メッセージは第１ＤＨＣＰオプションフィールドを運び、
前記無線ルーティング装置は、前記アクセスポイント装置により返されるＤＨＣＰ提案メッセージを受信するよう構成される受信モジュールを更に含み、前記ＤＨＣＰ提案メッセージは、第２ＤＨＣＰオプションフィールドを運び、
前記処理モジュールは、前記第１ＤＨＣＰオプションフィールドを前記第２ＤＨＣＰオプションフィールドと比較し、前記第１ＤＨＣＰオプションフィールドが前記第２ＤＨＣＰオプションフィールドと一致する場合、前記アクセスポイント装置を使用することにより前記端末がインターネットにアクセスできるよう、前記アクセスポイント装置に接続するよう前記端末をトリガするために、前記端末への前記ネットワーク接続を中断するよう更に構成される、
無線ルーティング装置。
【請求項８】
前記無線ルーティング装置は、アクセスポイントＡＰ機能及び局ＳＴＡ機能モードを有し、
前記処理モジュールは、前記アクセスポイントＡＰ機能及び局ＳＴＡ機能モードで動作し、前記局ＳＴＡ機能を使用することによりアクセスポイント装置を周期的にスキャンし、前記スキャンにより見付かったアクセスポイント装置のサービスセット識別子を取得し、前記アクセスポイント装置の前記サービスセット識別子を前記アクセスポイント装置に格納されたアクセスポイント装置サービスセット識別子セットと比較して、前記アクセスポイント装置が前記アクセス可能なアクセスポイント装置か否かを決定し、及び
前記アクセスポイント装置の前記サービスセット識別子が、前記アクセスポイント装置に格納された前記サービスセット識別子セットの中にある場合、前記アクセスポイント装置は前記アクセス可能なアクセスポイント装置であると決定する、
よう構成され、
前記アクセスポイント装置に格納された前記サービスセット識別子セットは、少なくとも１つのアクセスポイント装置のサービスセット識別子を含む、
請求項７に記載の無線ルーティング装置。
【請求項９】
前記処理モジュールは、
前記端末との無線通信を停止し、又は
前記端末へ関連付け解除メッセージを送信し、前記無線ルーティング装置のサービスセット識別子を隠す、
よう構成される、請求項７又は８に記載の無線ルーティング装置。
【請求項１０】
前記処理モジュールは、
無線広域ネットワークから切断する、
よう更に構成される、請求項７乃至９のいずれか一項に記載の無線ルーティング装置。
【請求項１１】
前記処理モジュールは、
前記端末への前記ネットワーク接続を中断した後に、前記アクセスポイントＡＰ機能及び局ＳＴＡ機能モードから局ＳＴＡ機能モードに切り替え、
前記局ＳＴＡ機能モードで連続的に前記アクセスポイント装置を監視する、
よう更に構成される、請求項８に記載の無線ルーティング装置。
【請求項１２】
前記処理モジュールが、前記局ＳＴＡ機能モードで連続的に前記アクセスポイント装置を監視するよう構成されることは、
前記処理モジュールが、前記無線ルーティング装置は前記アクセスポイント装置から切断されたことを検出した場合、前記端末へのネットワーク接続を再確立するために、前記アクセスポイントＡＰ機能及び局ＳＴＡ機能モードに切り戻すこと、
を含む、請求項１１に記載の無線ルーティング装置。
【請求項１３】
無線ルーティング装置であって、前記無線ルーティング装置が端末へのネットワーク接続を確立すると、前記無線ルーティング装置は、
アクセス可能なアクセスポイント装置が前記無線ルーティング装置の無線接続範囲内に存在するか否かを決定するよう構成されるプロセッサと、
前記アクセスポイント装置が存在する場合、前記アクセスポイント装置へのネットワーク接続を確立するために、前記アクセスポイント装置へ無線接続要求メッセージを送信するよう構成される送信機と、
受信機と、
を含み、
前記無線ルーティング装置が前記アクセスポイント装置への前記ネットワーク接続を確立する前に、前記送信機は、動的ホスト構成プロトコルＤＨＣＰ発見メッセージを前記アクセスポイント装置へ送信し、前記ＤＨＣＰ発見メッセージは、第１ＤＨＣＰオプションフィールドを運び、
前記受信機は、前記アクセスポイント装置により返されたＤＨＣＰ提案メッセージを受信し、前記ＤＨＣＰ提案メッセージは、第２ＤＨＣＰオプションフィールドを運び、
前記プロセッサは、前記第１ＤＨＣＰオプションフィールドを前記第２ＤＨＣＰオプションフィールドと比較し、前記第１ＤＨＣＰオプションフィールドが前記第２ＤＨＣＰオプションフィールドと一致する場合、前記アクセスポイント装置を使用することにより前記端末がインターネットにアクセスできるよう、前記アクセスポイント装置に接続するよう前記端末をトリガするために、前記端末への前記ネットワーク接続を中断するよう更に構成される、
無線ルーティング装置。
【請求項１４】
前記無線ルーティング装置は、アクセスポイントＡＰ機能及び局ＳＴＡ機能モードを有し、
前記プロセッサが、アクセス可能なアクセスポイント装置が前記無線ルーティング装置の無線接続範囲内に存在するか否かを決定するよう構成されることは、
前記プロセッサにより、前記アクセスポイントＡＰ機能及び局ＳＴＡ機能モードで、前記局ＳＴＡ機能を使用することによりアクセスポイント装置を周期的にスキャンし、前記スキャンにより見付かったアクセスポイント装置のサービスセット識別子を取得し、前記アクセスポイント装置の前記サービスセット識別子を前記アクセスポイント装置に格納されたアクセスポイント装置サービスセット識別子セットと比較して、前記アクセスポイント装置が前記アクセス可能なアクセスポイント装置か否かを決定すること、及び
前記アクセスポイント装置の前記サービスセット識別子が、前記アクセスポイント装置に格納された前記サービスセット識別子セットの中にある場合、前記アクセスポイント装置は前記アクセス可能なアクセスポイント装置であると決定する、
ことを含み、
前記アクセスポイント装置に格納された前記サービスセット識別子セットは、少なくとも１つのアクセスポイント装置のサービスセット識別子を含む、
請求項１３に記載の無線ルーティング装置。
【請求項１５】
前記プロセッサが、前記端末への前記ネットワーク接続を中断するよう構成されることは、
前記端末との無線通信を停止すること、又は
前記端末へ関連付け解除メッセージを送信し、前記無線ルーティング装置のサービスセット識別子を隠すこと、
を含む、請求項１３又は１４に記載の無線ルーティング装置。
【請求項１６】
前記プロセッサは、
前記端末への前記ネットワーク接続を中断した後に、無線広域ネットワークから切断する、
よう更に構成される、請求項１３乃至１５のいずれか一項に記載の無線ルーティング装置。
【請求項１７】
前記プロセッサは、
前記端末への前記ネットワーク接続を中断した後に、前記アクセスポイントＡＰ機能及び局ＳＴＡ機能モードから局ＳＴＡ機能モードに切り替え、
前記局ＳＴＡ機能モードで連続的に前記アクセスポイント装置を監視する、
よう更に構成される、請求項１４に記載の無線ルーティング装置。
【請求項１８】
前記プロセッサが、前記局ＳＴＡ機能モードで連続的に前記アクセスポイント装置を監視するよう構成されることは、
前記プロセッサが、前記無線ルーティング装置は前記アクセスポイント装置から切断されたことを検出した場合、前記端末へのネットワーク接続を再確立するために、前記アクセスポイントＡＰ機能及び局ＳＴＡ機能モードに切り戻すこと、
を含む、請求項１７に記載の無線ルーティング装置。
【請求項１９】
命令を有するコンピュータ可読記憶媒体であって、前記命令は、コンピュータにより実行されると、該コンピュータに請求項１乃至６のいずれか一項に記載の方法を実行させる、コンピュータ可読記憶媒体。
【発明の詳細な説明】
【技術分野】
【０００１】
本発明の実施形態は、通信技術に関し、特に、アクセスポイント間の自動切り替え方法、及び無線ルーティング装置に関する。
【背景技術】
【０００２】
無線ローカルエリアネットワーク（Wireless  Local  Area  Network、略してＷＬＡＮ）は、無線媒体により通信が実行されるネットワークである。ＷＬＡＮは、コンピュータネットワーク及び通信技術の結合であり、通常、アクセスポイント（Access  Point、略してＡＰ）及び局（Station、略してＳＴＡ）のような装置を含む。ＳＴＡは、端末又はアクセス装置としても参照される。
【０００３】
アクセスポイントは、無線ネットワークに接続されて良く、又は有線ネットワークに接続されて良い。アクセスポイントは、ホットスポットとしても参照されて良い。家庭で使用される無線ローカルエリアネットワークによりカバーされるホットスポットは、ホームホットスポットとして参照される。通常、ホームホットスポット（ＷｉＦｉ  ＡＰ機能を有するクライアント装置を含む）は、イーサネットを使用することによりアップリンク送信を実行し、インターネットのイングレスとして家庭に柔軟に配置される。したがって、ホームホットスポットは、ポータブルではない。モバイルホットスポット、例えば、モバイルＷｉＦｉ（Mobile  WiFi）は、主に、屋外無線ローカルエリアネットワークカバレッジを提供するために使用される。モバイルホットスポットは、ポータブルであり、第４世代モバイル通信技術（the  ４th  Generation  mobile  communication  technology、略して４Ｇ）／第３世代モバイル通信技術（３rd−Generation、略して３Ｇ）／第２世代無線電話技術（２−Generation  wireless  telephone  technology、略して２Ｇ）を使用することにより、高速データサービスを実行できる。
【０００４】
ウェブ閲覧、データ送信、又は音声呼のようなサービスを実施するために、前述の２つのアクセスポイントを用いることにより、益々多数のユーザ端末がインターネットにアクセスできる。通常、端末が家庭にある無線ローカルエリアネットワークのカバレッジエリア外にいる場合、端末は、モバイルホットスポットを使用することによりインターネットにアクセスできる。端末が家庭にある無線ローカルエリアネットワークのカバレッジエリア内にいるとき、端末は、ホームホットスポットを使用することによりインターネットにアクセスできる。しかしながら、端末が、家庭にある無線ローカルエリアネットワークのカバレッジエリア外から家庭にある無線ローカルエリアネットワークのカバレッジエリアへ移動するとき、端末は、家庭にある無線ローカルエリアネットワークのカバレッジエリア外のモバイルホットスポットに依然として接続され、ホームホットスポットに自動的に切り替えることができない。切り替えを実施するために、ユーザは、手動でモバイルホットスポットを無効にしてホームホットスポットに接続しなければならない、又は、手動で端末上で他のホットスポットをスキャンし、次に端末をモバイルホットスポットから切断してホームホットスポットに接続しなければならない。端末は前述の技術を用いることによっては家庭にある無線ローカルエリアネットワークのカバレッジエリア内で自動切り替えを実行できないことが分かる。
【発明の概要】
【０００５】
本発明の実施形態は、アクセスポイント間で端末の自動切り替えを実施するために、アクセスポイント間の自動切り替え方法、及び無線ルーティング装置を提供する。
【０００６】
第１の態様によると、本発明の一実施形態は、アクセスポイント間の自動切り替え方法であって、無線ルーティング装置が端末へのネットワーク接続を確立すると、前記方法は、
前記無線ルーティング装置により、アクセス可能なアクセスポイント装置が前記無線ルーティング装置の無線接続範囲内に存在するか否かを決定するステップと、
前記アクセスポイント装置が存在する場合、前記無線ルーティング装置により、前記アクセスポイント装置へのネットワーク接続を確立するために、前記アクセスポイント装置へ無線接続要求メッセージを送信するステップと、
前記アクセスポイント装置を使用することにより前記端末がインターネットにアクセスできるよう、前記アクセスポイント装置に接続するよう前記端末をトリガするために、前記無線ルーティング装置により、前記端末への前記ネットワーク接続を中断するステップと、
を含む方法を提供する。
【０００７】
第１の態様を参照し、第１の態様の第１の可能な実装では、前記無線ルーティング装置により、アクセス可能なアクセスポイント装置が前記無線ルーティング装置の無線接続範囲内に存在するか否かを決定するステップは、具体的に、
前記無線ルーティング装置により、アクセスポイントＡＰ機能及び局ＳＴＡ機能モードで動作し、前記ＳＴＡを使用することによりアクセスポイント装置を周期的にスキャンし、前記見付かったアクセスポイント装置のサービスセット識別子を取得し、前記アクセスポイント装置の前記サービスセット識別子を前記アクセスポイント装置に格納されたアクセスポイント装置サービスセット識別子セットと比較して、前記アクセスポイント装置が前記アクセス可能なアクセスポイント装置か否かを決定するステップと、
前記アクセスポイント装置の前記サービスセット識別子が、前記アクセスポイント装置に格納された前記サービスセット識別子セットの中にある場合、前記アクセスポイント装置は前記アクセス可能なアクセスポイント装置であると決定するステップと、
を含み、
前記アクセスポイント装置に格納された前記サービスセット識別子セットは、少なくとも１つのアクセスポイント装置のサービスセット識別子を含む。
【０００８】
第１の態様又は第１の態様の第１の可能な実装を参照し、第１の態様の第２の可能な実装では、前記アクセスポイント装置が存在する場合、前記無線ルーティング装置により、前記アクセスポイント装置へのネットワーク接続を確立するために、前記アクセスポイント装置へ無線接続要求メッセージを送信する前記ステップの前に、前記方法は、
前記無線ルーティング装置により、動的ホスト構成プロトコルＤＨＣＰ発見メッセージを前記アクセスポイント装置へ送信するステップであって、前記ＤＨＣＰ発見メッセージは、第１ＤＨＣＰオプションフィールドを運ぶ、ステップと、
前記無線ルーティング装置により、前記アクセスポイント装置により返されたＤＨＣＰ提案メッセージを受信するステップであって、前記ＤＨＣＰ提案メッセージは、第２ＤＨＣＰオプションフィールドを運ぶ、ステップと、
前記無線ルーティング装置により、前記第１ＤＨＣＰオプションフィールドを前記第２ＤＨＣＰオプションフィールドと比較するステップであって、前記第１ＤＨＣＰオプションフィールドが前記第２ＤＨＣＰオプションフィールドと一致する場合、前記アクセスポイント装置への前記接続を確立する、ステップと、
を更に含む。
【０００９】
第１の態様又は第１の態様の第１又は第２の可能な実装のいずれか１つを参照し、第１の態様の第３の可能な実装では、前記無線ルーティング装置により、前記端末への前記ネットワーク接続を中断する前記ステップは、
前記無線ルーティング装置により、前記端末との無線通信を停止するステップ、又は
前記無線ルーティング装置により、前記端末へ関連付け解除メッセージを送信し、前記無線ルーティング装置のサービスセット識別子を隠すステップ、
を含む。
【００１０】
第１の態様又は第１の態様の第１乃至第３の可能な実装のうちのいずれか１つを参照して、第１の態様の第４の実装では、前記方法は、前記無線ルーティング装置により、前記端末への前記接続を中断するステップの後に、前記無線ルーティング装置により、無線広域ネットワークから切断するステップ、を更に有する。
【００１１】
第１の態様又は第１の態様の第１乃至第４の可能な実装のうちのいずれか１つを参照して、第１の態様の第５の実装では、前記無線ルーティング装置により、前記端末への前記ネットワーク接続を中断する前記ステップの後に、前記方法は、
前記無線ルーティング装置により、前記アクセスポイントＡＰ機能及び局ＳＴＡ機能モードから局ＳＴＡ機能モードに切り替えるステップと、
前記無線ルーティング装置により、前記局ＳＴＡ機能モードで連続的に前記アクセスポイント装置を監視するステップと、
を更に含む。
【００１２】
第１の態様の第５の可能な実装を参照して、第１の態様の第５の実装では、前記無線ルーティング装置により、前記局ＳＴＡ機能モードで連続的に前記アクセスポイント装置を監視する前記ステップは、
前記無線ルーティング装置が、前記無線ルーティング装置は前記アクセスポイント装置から切断されたことを検出した場合、前記無線ルーティング装置により、前記端末へのネットワーク接続を再確立するために、前記アクセスポイントＡＰ機能及び局ＳＴＡ機能モードに切り戻すステップ、
を含む。
【００１３】
第２の態様によると、本発明の一実施形態は、無線ルーティング装置であって、前記無線ルーティング装置は端末へのネットワーク接続を確立しているとき、前記無線ルーティング装置は、
アクセス可能なアクセスポイント装置が前記無線ルーティング装置の無線接続範囲内に存在するか否かを決定するよう構成される処理モジュールと、
前記アクセスポイント装置が存在する場合、前記アクセスポイント装置へのネットワーク接続を確立するために、前記アクセスポイント装置へ無線接続要求メッセージを送信するよう構成される送信モジュールと、
を含み、
前記処理モジュールは、前記アクセスポイント装置を使用することにより前記端末がインターネットにアクセスできるよう、前記アクセスポイント装置に接続するよう前記端末をトリガするために、前記端末への前記ネットワーク接続を中断するよう更に構成される、
無線ルーティング装置を提供する。
【００１４】
第２の態様を参照し、第２の態様の第１の可能な実装では、前記処理モジュールが、アクセス可能なアクセスポイント装置が前記無線ルーティング装置の無線接続範囲内に存在するか否かを決定するよう構成されることは、具体的に、
前記処理モジュールにより、アクセスポイントＡＰ機能及び局ＳＴＡ機能モードで動作し、前記ＳＴＡを使用することによりアクセスポイント装置を周期的にスキャンし、前記見付かったアクセスポイント装置のサービスセット識別子を取得し、前記アクセスポイント装置の前記サービスセット識別子を前記アクセスポイント装置に格納されたアクセスポイント装置サービスセット識別子セットと比較して、前記アクセスポイント装置が前記アクセス可能なアクセスポイント装置か否かを決定するステップと、
前記アクセスポイント装置の前記サービスセット識別子が、前記アクセスポイント装置に格納された前記サービスセット識別子セットの中にある場合、前記アクセスポイント装置は前記アクセス可能なアクセスポイント装置であると決定するステップと、
を含み、
前記アクセスポイント装置に格納された前記サービスセット識別子セットは、少なくとも１つのアクセスポイント装置のサービスセット識別子を含む。
【００１５】
第２の態様又は第２の態様の第１の可能な実装を参照し、第２の態様の第２の可能な実装では、前記送信モジュールは、前記アクセスポイント装置への前記ネットワーク接続が確立される前に、前記アクセスポイント装置へ無線接続要求メッセージを送信し、前記ＤＨＣＰ発見メッセージは、第１ＤＨＣＰオプションフィールドを運ぶ、よう更に構成され、
前記無線ルーティング装置は、前記アクセスポイント装置により返されたＤＨＣＰ提案メッセージを受信し、前記ＤＨＣＰ提案メッセージは、第２ＤＨＣＰオプションフィールドを運ぶ、よう構成される受信モジュールを更に含み、前記処理モジュールは、前記第１ＤＨＣＰオプションフィールドを前記第２ＤＨＣＰオプションフィールドと比較し、前記第１ＤＨＣＰオプションフィールドが前記第２ＤＨＣＰオプションフィールドと一致する場合、前記アクセスポイント装置への前記接続を確立するよう更に構成される。
【００１６】
第２の態様又は第２の態様の第１又は第２の可能な実装のいずれか１つを参照し、第２の態様の第３の可能な実装では、前記処理モジュールが、前記端末への前記ネットワーク接続を中断するよう構成されることは、具体的に、
前記端末との無線通信を停止し、又は
前記端末へ関連付け解除メッセージを送信し、前記無線ルーティング装置のサービスセット識別子を隠すことを含む。
【００１７】
第２の態様又は第２の態様の第１乃至第３の実装のうちのいずれか１つを参照して、第２の態様の第４の実装では、前記処理モジュールが、前記端末への前記接続を中断するよう構成された後に、前記処理モジュールは、無線広域ネットワークから切断するよう更に構成される。
【００１８】
第２の態様又は第２の態様の第１乃至第４の実装のうちのいずれか１つを参照して、第２の態様の第５の実装では、前記処理モジュールは、前記端末への前記ネットワーク接続を中断した後に、前記アクセスポイントＡＰ機能及び局ＳＴＡ機能モードから局ＳＴＡ機能モードに切り替え、
前記局ＳＴＡモードで連続的に前記アクセスポイント装置を監視するよう更に構成される。
【００１９】
第２の態様の第５の可能な実装を参照して、第２の態様の第６の実装では、前記処理モジュールが、前記局ＳＴＡ機能モードで連続的に前記アクセスポイント装置を監視するよう構成されることは、
前記処理モジュールが、前記無線ルーティング装置は前記アクセスポイント装置から切断されたことを検出した場合、前記端末へのネットワーク接続を再確立するために、前記アクセスポイントＡＰ機能及び局ＳＴＡ機能モードに切り戻すことを含む。
【００２０】
第３の態様によると、本発明の一実施形態は、無線ルーティング装置であって、前記無線ルーティング装置は端末へのネットワーク接続を確立しているとき、前記無線ルーティング装置は、
アクセス可能なアクセスポイント装置が前記無線ルーティング装置の無線接続範囲内に存在するか否かを決定するよう構成されるプロセッサと、
前記アクセスポイント装置が存在する場合、前記アクセスポイント装置へのネットワーク接続を確立するために、前記アクセスポイント装置へ無線接続要求メッセージを送信するよう構成される送信機と、
を含み、
前記プロセッサは、前記アクセスポイント装置を使用することにより前記端末がインターネットにアクセスできるよう、前記アクセスポイント装置に接続するよう前記端末をトリガするために、前記端末への前記ネットワーク接続を中断するよう更に構成される、
無線ルーティング装置を提供する。
【００２１】
第３の態様を参照し、第３の態様の第１の可能な実装では、前記プロセッサが、アクセス可能なアクセスポイント装置が前記無線ルーティング装置の無線接続範囲内に存在するか否かを決定するよう構成されることは、具体的に、
前記プロセッサにより、アクセスポイントＡＰ機能及び局ＳＴＡ機能モードで、前記ＳＴＡを使用することによりアクセスポイント装置を周期的にスキャンし、前記見付かったアクセスポイント装置のサービスセット識別子を取得し、前記アクセスポイント装置の前記サービスセット識別子を前記アクセスポイント装置に格納されたアクセスポイント装置サービスセット識別子セットと比較して、前記アクセスポイント装置が前記アクセス可能なアクセスポイント装置か否かを決定することと、
前記アクセスポイント装置の前記サービスセット識別子が、前記アクセスポイント装置に格納された前記サービスセット識別子セットの中にある場合、前記アクセスポイント装置は前記アクセス可能なアクセスポイント装置であると決定することと、
を含み、
前記アクセスポイント装置に格納された前記サービスセット識別子セットは、少なくとも１つのアクセスポイント装置のサービスセット識別子を含む。
【００２２】
第３の態様又は第３の態様の第１の可能な実装を参照し、第３の態様の第２の可能な実装では、前記無線ルーティング装置は受信機を更に含み、前記無線ルーティング装置が前記アクセスポイント装置への前記ネットワーク接続を確立する前に、前記送信機は前記アクセスポイント装置へ動的ホスト構成プロトコルＤＨＣＰ発見メッセージを送信し、前記ＤＨＣＰ発見メッセージは、第１ＤＨＣＰオプションフィールドを運び、
前記受信機は、前記アクセスポイント装置により返されたＤＨＣＰ提案メッセージを受信し、前記ＤＨＣＰ提案メッセージは、第２ＤＨＣＰオプションフィールドを運び、前記プロセッサは、前記第１ＤＨＣＰオプションフィールドを前記第２ＤＨＣＰオプションフィールドと比較し、前記第１ＤＨＣＰオプションフィールドが前記第２ＤＨＣＰオプションフィールドと一致する場合、前記アクセスポイント装置への前記接続を確立するよう更に構成される。
【００２３】
第３の態様又は第３の態様の第１又は第２の可能な実装のいずれか１つを参照し、第３の態様の第３の可能な実装では、前記プロセッサが、前記端末への前記ネットワーク接続を中断するよう構成されることは、具体的に、
前記端末との無線通信を停止し、又は
前記端末へ関連付け解除メッセージを送信し、前記無線ルーティング装置のサービスセット識別子を隠すことを含む。
【００２４】
第３の態様又は第３の態様の第１乃至第３の実装のうちのいずれか１つを参照して、第３の態様の第４の実装では、前記プロセッサは、前記端末への前記接続を中断した後に、無線広域ネットワークから切断するよう更に構成される。
【００２５】
第３の態様又は第３の態様の第１乃至第４の実装のうちのいずれか１つを参照して、第３の態様の第５の実装では、前記プロセッサは、前記端末への前記ネットワーク接続を中断した後に、前記アクセスポイントＡＰ機能及び局ＳＴＡ機能モードから局ＳＴＡ機能モードに切り替え、
前記局ＳＴＡモードで連続的に前記アクセスポイント装置を監視するよう更に構成される。
【００２６】
第３の態様の第５の可能な実装を参照して、第３の態様の第６の実装では、前記プロセッサが、前記局ＳＴＡ機能モードで連続的に前記アクセスポイント装置を監視するよう構成されることは、
前記プロセッサが、前記無線ルーティング装置は前記アクセスポイント装置から切断されたことを検出した場合、前記端末へのネットワーク接続を再確立するために、前記アクセスポイントＡＰ機能及び局ＳＴＡ機能モードに切り戻すことを含む。
【００２７】
本発明の実施形態における、アクセスポイント間の自動切り替え方法、及び無線ルーティング装置によると、無線ルーティング装置は、アクセス可能なアクセスポイント装置が無線ルーティング装置の無線接続範囲内に存在するか否かを決定し、アクセス可能なアクセスポイント装置が存在する場合、無線ルーティング装置は、アクセスポイント装置へのネットワーク接続を確立し、端末へのネットワーク接続を中断して、端末がアクセスポイント装置に接続し及びアクセスポイント装置を用いてインターネットにアクセスできるようにする。このように、端末は、アクセスポイント間で自動的に切り替えることができる。
【図面の簡単な説明】
【００２８】
本発明の実施形態の又は従来技術の技術的ソリューションをより明確に説明するために、以下に実施形態又は従来技術の説明に必要な添付の図面を記載する。明らかなことに、以下の説明中の添付の図面は、本発明の一部の実施形態であり、これらの図面に従って当業者により創造的労力を有しないで他の図面も得られる。
【図１】本発明によるアクセスポイント間の自動切り替え方法の実施形態１のフローチャートである。
【図２】本発明によるアクセスポイント間の自動切り替え方法の実施形態２のフローチャートである。
【図３】本発明による無線ルーティング装置の実施形態１の概略構造図である。
【図４】本発明による無線ルーティング装置の実施形態２の概略構造図である。
【発明を実施するための形態】
【００２９】
本発明の目的、技術的解決策、及び利点を明確にするために、以下に、本発明の実施形態における技術的解決策を本発明の実施形態における添付の図面を参照して明確且つ完全に記載する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００３０】
本発明の実施形態では、アクセスポイントは、固定アクセスポイント及びモバイルアクセスポイントに分類される。固定アクセスポイントは、具体的に、端末がネットワークにアクセスするためのネットワークイングレスとして屋内に固定的に配置されるアクセスポイントである。通常、固定アクセスポイントは、ネットワークにアクセスするために、固定ユーザにより使用される端末により使用されて良く、具体的にホーム無線ローカルエリアネットワークによりカバーされるホームホットスポット、エンタープライズ無線ローカルエリアネットワークによりカバーされるホットスポット、等であって良い。モバイルアクセスポイントは、具体的に、４Ｇ／３Ｇ／２Ｇを用いて高速データサービスを実行するポータブルアクセスポイントである。固定アクセスポイントのカバレッジエリア外では、ユーザにより使用される端末は、依然として、モバイルアクセスポイント、例えば無線ルーティング装置を使用して、ネットワークにアクセスできる。モバイルアクセスポイントは、具体的に、モバイルＷｉＦｉ等であって良い。
【００３１】
図１は、本発明によるアクセスポイント間の自動切り替え方法の実施形態１のフローチャートである。本実施形態では、無線ルーティング装置は、具体的に、モバイルアクセスポイントであり、アクセスポイント装置は、具体的に、固定アクセスポイントである。本実施形態は、無線ルーティング装置により実行され、本実施形態の実装シナリオは、無線ルーティング装置が端末へのネットワーク接続を確立していることである。図１に示すように、本実施形態の方法は以下のステップを含んで良い。
【００３２】
ステップ１０１：無線ルーティング装置は、アクセス可能なアクセスポイント装置が無線ルーティング装置の無線接続範囲内に存在するか否かを決定する。
【００３３】
無線ルーティング装置の無線接続範囲は、無線ルーティング装置の有効動作距離を表し、又は無線ルーティング装置の信号カバレッジエリアとして理解できる。無線ルーティング装置は、無線ルーティング装置の無線接続範囲内にある別のアクセスポイント装置を発見して良く、又は、端末が無線ルーティング装置へのネットワーク接続を確立できるよう、無線ルーティング装置の無線接続範囲内にある端末により発見されて良い。
【００３４】
ステップ１０２：アクセスポイント装置が存在する場合、無線ルーティング装置は、アクセスポイント装置へのネットワーク接続を確立するために、無線接続要求メッセージをアクセスポイント装置へ送信する。
【００３５】
具体的に、アクセスポイント装置は、無線ルーティング装置により送信された無線接続要求メッセージを受信し、無線接続要求メッセージに従い無線接続応答メッセージを無線ルーティング装置へ返して、無線ルーティング装置がアクセスポイント装置への接続を確立できるようにする。
【００３６】
ステップ１０３：無線ルーティング装置は、端末がアクセスポイント装置を用いてインターネットにアクセスできるように、アクセスポイント装置に接続するよう端末をトリガするために、端末へのネットワーク接続を中断する。
【００３７】
具体的に、ステップ１０２で無線ルーティング装置がアクセスポイント装置への接続を確立した後に、無線ルーティング装置は端末から切断する。１又は複数の端末が存在して良い。端末は、自動スキャン及び再接続機能を有し、無線ルーティング装置から切断された場合に別のアクセスポイント装置を自動的にスキャンする。前に接続されたアクセスポイント装置を発見すると、端末は、アクセスポイント装置を用いてネットワークに接続し、それによりインターネットアクセスを実施するために、アクセスポイント装置に再接続する。例えば、ユーザの携帯電話機が端末として使用され、ホームホットスポットがアクセスポイント装置として使用され、モバイルホットスポットが無線ルーティング装置として使用される。ユーザの携帯電話機は、通常、家庭にあるネットワークに接続するためにホームホットスポットを使用し、ホームホットスポットのカバレッジエリア外では、ネットワークに接続するためにモバイルホットスポットを使用する。本実施形態における方法によると、アクセス可能なホームホットスポットを見付けると、モバイルホットスポットは、ホームホットスポットへの接続を確立し、該接続の確立に成功した後に、携帯電話機への接続を中断して、携帯電話機がホームホットスポットに再接続できるようにし、それによりアクセスポイント間の自動切り替えを実施する。
【００３８】
任意的に、無線ルーティング装置が、アクセス可能なアクセスポイント装置が無線ルーティング装置の無線接続範囲内に存在するか否かを決定することは、具体的に、無線ルーティング装置により、アクセスポイントＡＰ機能及び局ＳＴＡ機能モードで動作し、ＳＴＡを使用することによりアクセスポイント装置を周期的にスキャンし、見付かったアクセスポイント装置のサービスセット識別子を取得し、アクセスポイント装置のサービスセット識別子をアクセスポイント装置に格納されたアクセスポイント装置サービスセット識別子セットと比較して、アクセスポイント装置がアクセス可能なアクセスポイント装置か否かを決定し、アクセスポイント装置のサービスセット識別子が、アクセスポイント装置に格納されたサービスセット識別子セットの中にある場合、アクセスポイント装置はアクセス可能なアクセスポイント装置であると決定する、ことであって良い。アクセスポイント装置に格納されたサービスセット識別子セットは、少なくとも１つのアクセスポイント装置のサービスセット識別子を含む。
【００３９】
アクセスポイントＡＰ機能及び局ＳＴＡ機能モードでは、無線ルーティング装置は、ＡＰ機能及びＳＴＡ機能を有する。ＡＰ機能は、具体的に、無線ルーティング装置が端末によりスキャンされ及びそれに接続でき、無線ルーティング装置に接続された端末を管理できることを意味する。ＳＴＡ機能は、具体的に、無線ルーティング装置が別のアクセスポイント装置をスキャンし及びそれに接続できることを意味する。つまり、ＡＰ機能及びＳＴＡ機能モードでは、無線ルーティング装置は、端末によりスキャンされ及び端末に接続でき、無線ルーティング装置に接続された端末を管理でき、並びに、別のアクセスポイント装置をスキャンし及びそれに接続できる。
【００４０】
具体的に、無線ルーティング装置は、無線ルーティング装置の近隣にあるアクセスポイント装置を周期的にスキャンできる。周期は、要件に従い柔軟に設定されて良い。無線ルーティング装置がアクセスポイント装置を見付けた後に、無線ルーティング装置は、アクセスポイント装置のサービスセット識別子を取得し、アクセスポイント装置の該サービスセット識別子を、アクセスポイント装置に格納されたアクセスポイント装置サービスセット識別子セットと比較して、アクセスポイント装置がアクセス可能なアクセスポイント装置か否かを決定する。アクセスポイント装置がアクセス可能なアクセスポイント装置であるとき、ステップ１０２及びステップ１０３が実行される。アクセスポイント装置がアクセス可能なアクセスポイント装置ではないとき、無線ルーティング装置は、周期的スキャンを実行し続け、端末への接続を維持する。
【００４１】
任意的に、アクセスポイント装置が存在する場合、無線ルーティング装置がアクセスポイント装置へ無線接続要求メッセージを送信する前に、アクセスポイント装置へのネットワーク接続を確立するために、無線ルーティング装置は、動的ホスト構成プロトコルＤＨＣＰ発見メッセージをアクセスポイント装置へ更に送信して良い。ＤＨＣＰ発見メッセージは、第１ＤＨＣＰオプションフィールドを運ぶ。無線ルーティング装置は、アクセスポイント装置により返されたＤＨＣＰ提案メッセージを受信する。ＤＨＣＰ提案メッセージは、第２ＤＨＣＰオプションフィールドを運ぶ。無線ルーティング装置は、第１ＤＨＣＰオプションフィールドを第２ＤＨＣＰオプションフィールドと比較し、第１ＤＨＣＰオプションフィールドが第２ＤＨＣＰオプションフィールドと一致する場合、アクセスポイント装置への接続を確立する。本方法に従い、二次的な補助識別が実行される。つまり、アクセスポイント装置がアクセス可能なアクセスポイント装置であるか否かが、ステップＳ１０１において先ず決定される。アクセスポイント装置がアクセス可能なアクセスポイント装置である場合、無線ルーティング装置がアクセスポイント装置への接続を確立する前に、前述の二次的な補助識別が更に実行されて良い。セキュアアクセスは、見付かったアクセスポイント装置に対して二次的な識別を実行することにより実施できる。
【００４２】
さらに、ステップ１０３における無線ルーティング装置により端末へのネットワーク接続を中断する特定の実装は、無線ルーティング装置により、関連付け解除（de−associate）メッセージを端末へ送信し、端末のアクセスを制御するために、無線ルーティング装置のサービスセット識別子（Service  Set  Identifier、略してＳＳＩＤ）を隠すことであって良い。もちろん、ステップ１０３で、無線ルーティング装置は別の方法で端末への接続を中断して良いことが理解できる。例えば、無線ルーティング装置は、端末との無線通信を停止して良い。つまり、無線ルーティング装置は、無線ルーティング装置のＡＰ機能を無効にする。言い換えると、無線ルーティング装置は、端末によりスキャンされること及び端末に接続されることを止め、無線ルーティング装置に接続された端末を管理することを止める。
【００４３】
さらに、第１アクセスポイントの電力消費を効果的に削減し及び無線ルーティング装置のサービス時間を引き延ばすために、無線ルーティング装置が端末へのネットワーク接続を中断した後に、無線ルーティング装置は、無線広域ネットワークから切断し、具体的には、３ＧＰＰ又は３ＧＰＰ２無線広域ネットワークから切断して良い。留意すべきことに、本実施形態における無線広域ネットワークは、本実施形態ではインターネットと異なり、具体的に、４Ｇ／３Ｇ／２Ｇのようなモバイル通信技術を用いて提供される無線ネットワークである。無線広域ネットワークを用いてインターネットアクセスを提供する第１アクセスポイントは、アクセスを実施するために基地局及びコアネットワークを順に用いて、インターネットへデータを送信する必要がある。本実施形態におけるアクセスポイント装置は、スイッチング装置を用いてインターネットに直接接続して良い。通信及びリソース共有のようなサービスは、インターネットを用いてアクセス装置に提供され得る。例えば、ビデオ又はオーディオデータリソースが端末に提供される。
【００４４】
さらに、無線ルーティング装置が端末へのネットワーク接続を中断した後に、無線ルーティング装置は、アクセスポイントＡＰ機能及び局ＳＴＡ機能モードから局ＳＴＡ機能モードに切り替え、無線ルーティング装置は、局ＳＴＡ機能モードでアクセスポイント装置を連続的に監視する。つまり、無線ルーティング装置が端末への接続を中断した後に、無線ルーティング装置はＳＴＡ機能モードに入る。
【００４５】
さらに、無線ルーティング装置がＳＴＡ機能モードで動作するとき、無線ルーティング装置は、無線ルーティング装置とアクセスポイント装置との間の接続の状態を監視する。無線ルーティング装置が、無線ルーティング装置はアクセスポイント装置から切断されたことを検出した場合、無線ルーティング装置は、端末へのネットワーク接続を再確立するために、アクセスポイントＡＰ機能及び局ＳＴＡ機能モードに切り戻す。つまり、アクセスポイント装置が正常に動作できないとき、アクセスポイント装置は、上限アクセス限度に達するために、無線ルーティング装置から切断し、アクセスポイント装置は、負荷が制限されるので無線ルーティング装置から切断し、無線ルーティング装置とアクセスポイント装置との間のデータリンクは長時間、利用不可能になり、又は無線ルーティング装置は、アクセスポイント装置によりカバーできないエリアに移動し、無線ルーティング装置はアクセスポイント装置から切断される。無線ルーティング装置が切断を検出すると、無線ルーティング装置は、アクセスポイントＡＰ機能及び局ＳＴＡ機能モードに切り戻る。アクセスポイントＡＰ機能及び局ＳＴＡ機能モードでは、端末が無線ルーティング装置への接続を確立できるように、無線ルーティング装置は、端末により自動的に発見され得る。このように、端末は、依然としてネットワークにアクセスできる。
【００４６】
留意すべきことに、ステップ１０３で、端末がアクセスポイント装置に接続できるように、無線ルーティング装置は、端末へのネットワーク接続を中断する。ここで、端末がアクセスポイント装置に接続するのは初めてではない。つまり、端末は、アクセスポイント装置のＷｉＦｉ接続パスワードを格納しており、アクセスポイント装置に自動的に接続できる。
【００４７】
本実施形態では、無線ルーティング装置は、アクセス可能なアクセスポイント装置が無線ルーティング装置の無線接続範囲内に存在するか否かを決定し、アクセス可能なアクセスポイント装置が存在する場合、無線ルーティング装置は、アクセスポイント装置へのネットワーク接続を確立し、端末へのネットワーク接続を中断して、端末がアクセスポイント装置に接続し及びアクセスポイント装置を用いてインターネットにアクセスできるようにする。このように、端末は、無線ルーティング装置からアクセスポイント装置へ自動的に切り替える。
【００４８】
留意すべきことに、本発明の本実施形態では、無線ルーティング装置はモバイルアクセスポイントであり、アクセスポイント装置は固定アクセスポイントであり、アクセスポイント間で端末の自動切り替えの方法が説明される。もちろん、モバイルアクセスポイント間の端末の切り替えは本発明の本実施形態の概念を用いても実施できることが理解できる。
【００４９】
図１に示す方法の実施形態における技術的ソリューションは、特定の実施形態を用いて以下に詳述される。
【００５０】
図２は、本発明によるアクセスポイント間の自動切り替え方法の実施形態２のフローチャートである。本実施形態では、具体的に、無線ルーティング装置はモバイルホットスポットであり、アクセスポイント装置はホームホットスポットであることが、説明のための一例として用いられる。図２に示すように、本実施形態の方法は以下のステップを含んで良い。
【００５１】
Ｓ２０１：モバイルホットスポットにホームホットスポットのＳＳＩＤをプリセットする。
【００５２】
Ｓ２０２：モバイルホットスポットは（ＡＰ＋ＳＴＡ）モードで動作する。
【００５３】
（ＡＰ＋ＳＴＡ）モードは、本発明の実施形態１におけるアクセスポイントＡＰ機能及び局ＳＴＡ機能モードである。つまり、モバイルホットスポットは、別のホットスポット装置をスキャンし及びそれに接続でき、局（Station、略してＳＴＡ）装置への接続を確立し、ＳＴＡ装置を管理できる。ＳＴＡ装置は、携帯電話機、タブレットコンピュータ等であって良い。（ＡＰ＋ＳＴＡ）モードは、ＷｉＦｉ  ＯＦＦＬＯＡＤモードとしても参照されることがある。（ＡＰ＋ＳＴＡ）モードのモバイルホットスポットは、ＡＰ機能とＳＴＡ機能との両方を有する。ＡＰ機能は、具体的に、モバイルホットスポットが別の装置により見付けられ別の装置に接続され得ることを意味し、ＳＴＡ機能は、具体的に、モバイルホットスポットが別のホットスポットをスキャンし及び別のホットスポットに接続できることを意味する。
【００５４】
Ｓ２０３：モバイルホットスポットは、具体的に、モバイルホットスポットの近隣にある別のホットスポットをスキャンする。
【００５５】
Ｓ２０４：別のホットスポットを見付けると、別のホットスポットがプリセットホームホットスポットであるか否かを決定するために、ＳＳＩＤを比較する。別のホットスポットがプリセットホームホットスポットである場合、Ｓ２０５が実行される。その他の場合、Ｓ２０３が実行される。
【００５６】
Ｓ２０５：モバイルホットスポットは、ホームホットスポットへの接続を確立する。
【００５７】
具体的に、接続確立処理は、モバイルホットスポットにより、ＷｉＦｉ接続要求メッセージをホームホットスポットへ自動的に発行するステップと、ホームホットスポットにより、モバイルホットスポットへＷｉＦｉ接続応答メッセージを返すステップ、である。
【００５８】
さらに、二次的な補助識別が、ＤＨＣＰ  Ｏｐｔｉｏｎ１２５フィールド（Vendor  Identifying  Vendor）を用いて実行されて良い。具体的に、モバイルホットスポットは、ＤＨＣＰ  Ｏｐｔｉｏｎ１２５フィールドをＤＨＣＰ  ｄｉｓｃｏｖｅｒメッセージに追加する。ホームホットスポットからＤＨＣＰ  ｏｆｆｅｒメッセージを受信した後に、モバイルホットスポットは、ＤＨＣＰ  ｏｆｆｅｒメッセージの中のｏｐｔｉｏｎ１２５フィールドを調べる。２つのフィールドが一致する場合、モバイルホットスポットは、ホームホットスポットに接続し続け、その他の場合には、ホームホットスポットを無効にし、別のホットスポットをスキャンし続け／試す。この方法では、モバイルルータは、特定ベンダのホームルータにのみ自動的に接続し、一層セキュアなアクセスを保証する。
【００５９】
Ｓ２０６：接続の確立に成功した後に、モバイルホットスポットは、モバイルホットスポットから切断されるようＳＴＡ装置をトリガするために、ＡＰ機能を自動的に無効にし、ＳＴＡ装置がＳＴＡ装置の自動スキャン及び再接続機能によりホームホットスポットに自動的に切り替えられるようにする。
【００６０】
「ＡＰ機能を無効にする」方法に加えて、ＳＴＡ装置のアクセスは、先ず「関連付け解除」（de−associate）メッセージを送信し、次にＳＳＩＤを隠してＳＴＡ装置のアクセス要求に応答しないことにより制御されて良い。
【００６１】
Ｓ２０７：モバイルホットスポットは、ＭＯＤＥＭ通信機能を無効にする。
【００６２】
つまり、モバイルホットスポットは、モバイルホットスポットの電力消費を削減し及びサービス時間を引き延ばすために、３ＧＰＰ又は３ＧＰＰ２のような無線広域ネットワークから切断する。
【００６３】
Ｓ２０８：モバイルホットスポットは、ホームホットスポットの動作状態を連続的に監視する。
【００６４】
具体的に、モバイルホットスポットは、ホームホットスポットへのＷｉＦｉ接続を維持することにより、ホームホットスポットの動作状態を連続的に監視する。つまり、モバイルホットスポットはＳＴＡモードで動作する。ＳＴＡモードでは、モバイルホットスポットはＳＴＡ機能のみを有する。ＳＴＡモードは、本発明の実施形態１におけるＳＴＡモードである。
【００６５】
Ｓ２０９：モバイルホットスポットがホームホットスポットから切断された場合、モバイルホットスポットは、ＡＰ機能を自動的に再開する。
【００６６】
具体的に、モバイルホットスポットがホームホットスポットから切断された（例えば、ホームホットスポットが正常に動作できず、接続を能動的に切断する、上限アクセス限度に達したのでホームホットスポットがモバイルホットスポットから切断する、負荷が制限されるのでホームホットスポットがモバイルホットスポットから切断する、データリンクが長い間利用できず、モバイルホットスポットが接続を積極的に切断する、又は、モバイルホットスポットがホームホットスポットによりカバーできないエリアに移動し、接続を積極的に中断する）ことをモバイルホットスポットが検出すると、モバイルホットスポットは、ＡＰ機能を自動的に再開する、つまり、（ＡＰ＋ＳＴＡ）モード、つまりＯＦＦＬＯＡＤモードに切り戻す。この場合、ＳＴＡ装置は、再びモバイルホットスポットを自動的に見付け接続できる。
【００６７】
Ｓ２１０：モバイルホットスポットは、４Ｇ／３Ｇ／２Ｇを用いてインターネットアクセスを提供する機能を再開するために、ＭＯＤＥＭ通信機能を自動的に有効にする。
【００６８】
本実施形態では、モバイルホットスポットは、モバイルホットスポットの近隣にある別のホットスポットを周期的にスキャンし、別のホットスポットを見付けると、ホットスポットのＳＳＩＤに従い、ホットスポットがプリセットホームホットスポットであるか否かを決定する。ホットスポットがホームホットスポットである場合、モバイルホットスポットは、ホームホットスポットへの接続を確立し、ＳＴＡ装置から切断し、ＳＴＡ装置がホームホットスポットに自動的に再接続できるようにする。このように、ＳＴＡ装置は、モバイルホットスポットからホームホットスポットに自動的に切り替えることができる。つまり、ＳＴＡ装置は、家庭における無線ローカルエリアネットワークのカバレッジエリアの範囲内で自動切り替えを実施できる。さらに、ＳＴＡ装置が通信のためにホームホットスポットへの接続を確立すると、モバイルホットスポットは、ホームホットスポットを連続的に監視するために、ホームホットスポットへの接続も確立する。モバイルホットスポットがホームホットスポットから切断されると、モバイルホットスポットのＡＰ機能は、再開され得る。このように、ＳＴＡ装置は、再びモバイルホットスポットを自動的に見付け及び接続できる。したがって、ＳＴＡ装置は、家庭における無線ローカルエリアネットワークのカバレッジエリアの範囲外のとき依然として自動切り替えを実施できる。結論として、本実施形態における方法によると、ＳＴＡ装置は、モバイルホットスポットとホームホットスポットとの間で自動的に切り替えることができる。
【００６９】
前述の２つの実施形態の詳細な説明に基づき、本発明の主要概念が明確に理解できる。モバイルアクセスポイントは、端末の自動切り替えを実施するために端末を積極的に制御し、モバイルアクセスポイントは、端末の切り換えを効率的に制御するために固定アクセスポイントを連続的に監視し及び識別し、固定アクセスポイントが異常になると、モバイルアクセスポイントは、スタンバイアクセスポイントとして使用でき、端末はアクセスポイントを用いてネットワークと通信し続けることができる。
【００７０】
図３は、本発明による無線ルーティング装置の実施形態１の概略構造図である。図３に示すように、無線ルーティング装置が端末へのネットワーク接続を確立しているとき、本実施形態の装置は、処理モジュール１１と、送信モジュール１２と、受信モジュール１３と、を有して良い。処理モジュール１１は、アクセス可能なアクセスポイント装置が無線ルーティング装置の無線接続範囲内に存在するか否かを決定するよう構成される。送信モジュール１２は、アクセスポイント装置が存在する場合、アクセスポイント装置へのネットワーク接続を確立するために、無線接続要求メッセージをアクセスポイント装置へ送信するよう構成される。処理モジュール１１は、端末がアクセスポイント装置を用いてインターネットにアクセスできるように、アクセスポイント装置に接続するよう端末をトリガするために、端末へのネットワーク接続を中断するよう更に構成される。
【００７１】
さらに、処理モジュール１１が、アクセス可能なアクセスポイント装置が無線ルーティング装置の無線接続範囲内に存在するか否かを決定するよう構成されることは、具体的に、処理モジュール１１により、アクセスポイントＡＰ機能及び局ＳＴＡ機能モードで動作し、ＳＴＡを使用することによりアクセスポイント装置を周期的にスキャンし、見付かったアクセスポイント装置のサービスセット識別子を取得し、アクセスポイント装置のサービスセット識別子をアクセスポイント装置に格納されたアクセスポイント装置サービスセット識別子セットと比較して、アクセスポイント装置がアクセス可能なアクセスポイント装置か否かを決定し、アクセスポイント装置のサービスセット識別子が、アクセスポイント装置に格納されたサービスセット識別子セットの中にある場合、アクセスポイント装置はアクセス可能なアクセスポイント装置であると決定する、ことを含む。アクセスポイント装置に格納されたサービスセット識別子セットは、少なくとも１つのアクセスポイント装置のサービスセット識別子を含む。
【００７２】
送信モジュール１２は、動的ホスト構成プロトコルＤＨＣＰ発見メッセージをアクセスポイント装置へ送信するよう更に構成される。ＤＨＣＰ発見メッセージは、第１ＤＨＣＰオプションフィールドを運ぶ。受信モジュール１３は、アクセスポイント装置により返されたＤＨＣＰ提案メッセージを受信するよう構成される。ＤＨＣＰ提案メッセージは、第２ＤＨＣＰオプションフィールドを運ぶ。処理モジュール１１は、第１ＤＨＣＰオプションフィールドを第２ＤＨＣＰオプションフィールドと比較し、第１ＤＨＣＰオプションフィールドが第２ＤＨＣＰオプションフィールドと一致する場合、アクセスポイント装置への接続を確立する。
【００７３】
さらに、処理モジュール１１が、アクセス装置へのネットワーク接続を中断するよう構成されることは、具体的に、端末との無線通信を停止すること、又は端末へ関連付け解除メッセージを送信し、無線ルーティング装置のサービスセット識別子を隠すこと、を含む。
【００７４】
さらに、本実施形態における無線ルーティング装置の処理モジュール１１は、無線広域ネットワークへの接続を中断するよう更に構成される。
【００７５】
任意的に、処理モジュール１１は、端末へのネットワーク接続を中断した後に、アクセスポイントＡＰ機能及び局ＳＴＡ機能モードから局ＳＴＡ機能モードに切り替え、無線ルーティング装置は局ＳＴＡモードで連続的にアクセスポイント装置を監視する。
【００７６】
さらに、処理モジュール１１が、無線ルーティング装置により、局ＳＴＡ機能モードで連続的にアクセスポイント装置を監視するよう構成されることは、具体的に、処理モジュール１１が、無線ルーティング装置は前記アクセスポイント装置から切断されたことを検出した場合、端末へのネットワーク接続を再確立するために、アクセスポイントＡＰ機能及び局ＳＴＡ機能モードに切り戻すことであって良い。
【００７７】
本実施形態の装置は、図１又は図２に示した方法の実施形態の技術的ソリューションを実行するよう構成され得る。その実装原理及び技術的効果は同様である。詳細事項は、ここで再び記載されない。
【００７８】
図４は、本発明による無線ルーティング装置の実施形態２の概略構造図である。図４に示すように、本実施形態において提供される無線ルーティング装置４０は、プロセッサ４０１と、送信機４０２と、受信機４０３と、バス４０４と、メモリ４０５と、を含む。バス４０４は、プロセッサ４０１、送信機４０２、受信機４０３、及びメモリ４０５を接続詞、情報を送信するよう構成される。メモリ４０５は、実行命令を格納する。無線ルーティング装置４０が動作するとき、プロセッサ４０３は、メモリ４０４と通信し、プロセッサ４０３は、以下の動作を実行するためにメモリ４０４に格納されたコードを実行する：
無線ルーティング装置が端末へのネットワーク接続を確立しているとき、アクセス可能なアクセスポイント装置が無線ルーティング装置の無線接続範囲内に存在するか否かを決定するステップ；
アクセスポイント装置が存在する場合、アクセスポイント装置へのネットワーク接続を確立するために、送信機４０２を用いて無線接続要求メッセージをアクセスポイント装置へ送信するステップ；
端末がアクセスポイント装置を用いてインターネットにアクセスできるように、アクセスポイント装置に接続するよう端末をトリガするために、端末へのネットワーク接続を中断するステップ。
【００７９】
さらに、プロセッサ４０３が、アクセス可能なアクセスポイント装置が無線ルーティング装置の無線接続範囲内に存在するか否かを決定するよう構成されることは、具体的に、アクセスポイントＡＰ機能及び局ＳＴＡ機能モードで、プロセッサにより、ＳＴＡ機能を使用することによりアクセスポイント装置を周期的にスキャンし、見付かったアクセスポイント装置のサービスセット識別子を取得し、アクセスポイント装置のサービスセット識別子をアクセスポイント装置に格納されたアクセスポイント装置サービスセット識別子セットと比較して、アクセスポイント装置がアクセス可能なアクセスポイント装置か否かを決定し、アクセスポイント装置のサービスセット識別子が、アクセスポイント装置に格納されたサービスセット識別子セットの中にある場合、アクセスポイント装置はアクセス可能なアクセスポイント装置であると決定する、ことを含む。
【００８０】
アクセスポイント装置に格納されたサービスセット識別子セットは、少なくとも１つのアクセスポイント装置のサービスセット識別子を含む。
【００８１】
さらに、送信機４０２は、アクセスポイント装置へのネットワーク接続が確立される前に、アクセスポイント装置へ動的ホスト構成プロトコルＤＨＣＰ発見メッセージを送信するよう更に構成される。ＤＨＣＰ発見メッセージは、第１ＤＨＣＰオプションフィールドを運ぶ。
【００８２】
受信機４０３は、アクセスポイント装置により返されたＤＨＣＰ提案メッセージを受信するよう更に構成される。ＤＨＣＰ提案メッセージは、第２ＤＨＣＰオプションフィールドを運ぶ。
【００８３】
プロセッサ４０１は、第１ＤＨＣＰオプションフィールドを第２ＤＨＣＰオプションフィールドと比較し、第１ＤＨＣＰオプションフィールドが第２ＤＨＣＰオプションフィールドと一致する場合、アクセスポイント装置への接続を確立するよう更に構成される。
【００８４】
プロセッサ４０１が、端末へのネットワーク接続を中断するよう構成されることは、具体的に、端末との無線通信を停止すること、又は送信機４０２を用いて端末へ関連付け解除メッセージを送信し、無線ルーティング装置のサービスセット識別子を隠すこと、を含む。
【００８５】
プロセッサ４０１は、端末へのネットワーク接続を中断した後に、無線広域ネットワークから切断するよう更に構成される。
【００８６】
プロセッサ４０１は、端末へのネットワーク接続を中断した後に、アクセスポイントＡＰ機能及び局ＳＴＡ機能モードから局ＳＴＡ機能モードに切り替え、プロセッサ４０１により、局ＳＴＡモードで連続的にアクセスポイント装置を監視するよう更に構成される。
【００８７】
プロセッサ４０１が、局ＳＴＡ機能モードで連続的にアクセスポイント装置を監視するよう構成されることは、具体的に、プロセッサが、無線ルーティング装置はアクセスポイント装置から切断されたことを検出した場合、端末へのネットワーク接続を再確立するために、アクセスポイントＡＰ機能及び局ＳＴＡ機能モードに切り戻すことであって良い。
【００８８】
本実施形態における装置は、方法の実施形態における技術的ソリューションを実行するよう構成されて良い。その実装原理及び技術的効果は同様である。詳細事項は、ここで再び記載されない。
【００８９】
留意すべきことに、本発明の本実施形態では、受信機４０３は、無線ルーティング装置の通信機に対応して良く、送信機４０２も無線ルーティング装置の通信機に対応して良く、プロセッサ４０１は、中央処理ユニット（Central  Processing  Unit、ＣＰＵ）、又は特定用途向け集積回路（Application−Specific  Integrated  Circuit、ＡＳＩＣ）、又は本発明の本実施形態を実装する１又は複数の集積回路であって良い。
【００９０】
本発明で提供される幾つかの実施形態では、開示の装置及び方法は他の方法で実装されて良いことが理解されるべきである。例えば、記載した装置の実施形態は単なる一例である。例えば、ユニットの分割は、単なる論理的機能の区分であり、実際の実装では他の区分であって良い。例えば、複数のユニット又はコンポーネントは、別のシステムに結合又は統合されて良い。或いは、幾つかの機能は無視されるか又は実行されなくて良い。さらに、表示した又は議論した相互結合又は直接結合又は通信接続は、幾つかのインタフェースを使用することにより実装されて良い。装置又はユニット間の間接結合又は通信接続は、電子的、機械的又は他の形式で実装されて良い。
【００９１】
別個の部分として記載されたユニットは、物理的に別個であってもそうでなくても良い。また、ユニットとして表示された部分は、物理的なユニットであってもそうでなくても良く、１カ所に置かれても良く或いは複数のネットワークユニットに分散されても良い。一部又は全部のユニットは、実施形態のソリューションの目的を達成するために実際の要件に応じて選択されて良い。
【００９２】
さらに、本発明の実施形態における機能ユニットは、１つの処理ユニットに統合されて良く、或いは各ユニットが物理的に単独で存在して良く、或いは２以上のユニットが１つのユニットに統合されて良い。統合ユニットは、ハードウェアの形式で実装されて良く、ソフトウェア機能モジュールに加えてハードウェアの形式で実装されて良い。
【００９３】
前述の統合ユニットがソフトウェア機能ユニットの形式で実装されるとき、統合ユニットはコンピュータ可読記憶媒体に格納されて良い。ソフトウェア機能ユニットは、記憶媒体に格納され、コンピュータ装置（パーソナルコンピュータ、サーバ、又はネットワーク装置であって良い）又はプロセッサ（processor）に、本発明の実施形態で記載された方法のステップの一部を実行するよう指示する複数の命令を含む。前述の記憶媒体は、ＵＳＢフラッシュディスク、取り外し可能ハードディスク、読み出し専用メモリ（Read−Only  Memory、ROM）、ランダムアクセスメモリ（Random  Access  Memory、RAM）、磁気ディスク又は光ディスクのような、プログラムコードを格納可能な任意の媒体を有する。
【００９４】
便宜上及び簡便な説明のために、前述の機能モジュールの分割のみが説明のための例として用いられたことが、当業者に明らかである。実際の用途では、前述の機能は、異なる機能モジュールに割り当てられ及び要件に従って実装されて良い。つまり、装置の内部構造は、前述の機能の全部又は一部を実施するために異なる機能モジュールに分割されて良い。前述の装置の詳細な動作過程では、前述の方法の実施形態の対応する処理が参照され、詳細事項は本願明細書に繰り返し記載されない。
【００９５】
最後に、留意すべきことに、前述の実施形態は、単に本発明の技術的ソリューションを説明するためであり、本発明の範囲を限定するためではない。本発明は、前述の実施形態を参照して詳細に説明されたが、当業者は、本発明の実施形態の技術的ソリューションの範囲から逸脱することなく、彼らが前述の実施形態で説明した技術的ソリューションに変更を行い、又はそれら実施形態の一部又は全部の技術的特徴を等価に置換できることを理解する。
【図１】
0006533591.tif 000002
【図２】
0006533591.tif 000003
【図３】
0006533591.tif 000004
【図４】
0006533591.tif 000005